(57)【要約】【課題】より簡易かつ安価に製造することができるとともに、極めて簡単な構成で平らな商品を水平な状態で収納して持ち運ぶことができる手提げ袋を提供する。【解決手段】筒状のプラスチックフィルム１１の両端１３，１４に把手部２０を形成してなる手提げ袋であって、前記プラスチックフィルムは筒状のインフレーションフィルムとすることができ、前記把手部は、前記プラスチックフィルムの端部に形成した穴部とすることができる。筒状のプラスチックフィルムの長手方向の中間部にシール部３０を形成して商品収納部１５の一端側を規定するようにしてもよい。【選択図】図１
0003105417.tif 000002
【実用新案登録請求の範囲】
【請求項１】
筒状のプラスチックフィルムの長手方向の両端に把手部を形成したことを特徴とする手提げ袋。
【請求項２】
前記プラスチックフィルムが筒状のインフレーションフィルムである請求項１に記載の手提げ袋。
【請求項３】
前記把手部が、前記プラスチックフィルムの端部に形成した穴部である請求項１又は２に記載の手提げ袋。
【請求項４】
前記プラスチックフィルムの長手方向の中間部にシール部を有し、前記シール部が商品収納部の一端側を規定するようにした請求項１ないし３のいずれか１項に記載の手提げ袋。
【考案の詳細な説明】
【技術分野】
【０００１】
本考案は、商品を収納する簡易な手提げ袋に関し、特には商品を水平な状態で持ち運びすることが容易に可能な手提げ袋に関する。
【背景技術】
【０００２】
すしや弁当、ケーキ等を所定の平らな容器に納めた商品は、持ち運ぶ際に容器が傾くと、容器内の商品がくずれたり、容器の一側に偏って押し潰されたりして見た目が悪くなるため、商品を水平な状態に維持して持ち運ぶ必要がある。一般に、これらの商品を水平にした状態で持ち運ぶ場合には、上部が大きく開口したプラスチックフィルム製の手提げ袋が提案されている。しかしながら、この手提げ袋では商品の出し入れに手間がかかるばかりでなく、持ち運びの際に商品が不安定になって水平状態が維持しにくい等の問題があった。
【０００３】
近年、商品の安定性を向上させてより水平状態が維持しやすいように構成された様々な手提げ袋が提案されており、例えば、一端が開口されたプラスチックフィルムからなる袋本体の一面側の略中央位置に、帯状の把手部を袋本体の幅方向に設けた把手付き手提げ袋が知られている（例えば、特開２００４−４２９１８号公報参照。）。しかしながら、この把手付き手提げ袋では、従来の手提げ袋に比して商品の安定性は向上するが、構成が煩雑であり、しかも、製造に手間がかかって経済的にも不利である。
【考案の開示】
【考案が解決しようとする課題】
【０００４】
本考案は前記の点に鑑みなされたものであり、より簡易かつ安価に製造することができるとともに、極めて簡単な構成で平らな商品を水平な状態で収納して持ち運ぶことができる手提げ袋を提供するものである。
【課題を解決するための手段】
【０００５】
すなわち、請求項１の考案は、筒状のプラスチックフィルムの長手方向の両端に把手部を形成したことを特徴とする手提げ袋に係る。
【０００６】
請求項２の考案は、前記プラスチックフィルムが筒状のインフレーションフィルムである請求項１に記載の手提げ袋に係る。
【０００７】
請求項３の考案は、前記把手部が、前記プラスチックフィルムの端部に形成した穴部である請求項１又は２に記載の手提げ袋に係る。
【０００８】
請求項４の考案は、前記プラスチックフィルムの長手方向の中間部にシール部を有し、前記シール部が商品収納部の一端側を規定するようにした請求項１ないし３のいずれか１項に記載の手提げ袋に係る。
【考案の効果】
【０００９】
請求項１の考案に係る手提げ袋によれば、筒状のプラスチックフィルムの長手方向の両端に把手部を形成したものであるため、平らな商品をプラスチックフィルムの筒部内に収容し両端の把手部を持ち上げるだけで、商品を簡単に水平な状態で保持することができる。一方において、極めて簡易な構成で容易に製造することができ、極めて経済的である。
【００１０】
請求項２の考案によれば、請求項１において、前記プラスチックフィルムが筒状のインフレーションフィルムであるため、該筒状のプラスチックフィルムをより簡易にかつ経済的に製造することが可能となる。
【００１１】
請求項３の考案によれば、請求項１又は２において、前記把手部が、前記プラスチックフィルムの端部に形成した穴部であるため、把手部の形成が極めて容易となる。
【００１２】
請求項４の考案によれば、請求項１ないし３のいずれか１項において、前記プラスチックフィルムの長手方向の中間部にシール部を有し、前記シール部が商品収納部の一端側を規定するようにしたものであるから、商品をプラスチックフィルムの好適な収納位置に収納しやすくなり、商品の包装を簡便かつ容易にできる。
【考案を実施するための最良の形態】
【００１３】
以下添付の図面に従ってこの考案を詳細に説明する。
図１はこの考案の一実施例に係る手提げ袋の使用状態を示す斜視図、図２は同手提げ袋の商品収納前の状態を示す斜視図、図３は同手提げ袋の商品収納後の状態を示す上面図、図４はシール部を有する手提げ袋の商品収納前の状態を示す斜視図、図５は図４の手提げ袋の商品収納後の状態を示す上面図、図６ないし図８は把手部の他の形状を示す上面図である。
【００１４】
図１ないし図３に示すように、この考案の手提げ袋１０は、筒状のプラスチックフィルム１１の長手方向の両端１３，１４に把手部２０を形成してなるものである。図において、符号Ｍは手提げ袋１０内に収納されるピザやすし等の被包装商品である。
【００１５】
筒状のプラスチックフィルム１１は、ポリエチレン、ポリプロピレン等の公知の合成樹脂からなり、少なくとも一側のフィルム端部１３に商品Ｍを出し入れ可能に開口した開口部１２を有する。この筒状プラスチックフィルム１１は、略中央部分が商品Ｍを収納するための商品収納部１５となり、商品Ｍの大きさに応じた適宜の折り返し位置１６，１７で一側フィルム端部１３及び他側フィルム端部１４側を対向して折り返すようになっている。なお、筒状プラスチックフィルム１１の長さは、想定される商品収納部１５の長さＬの半分（１／２Ｌ）よりもフィルム端部１３，１４側の長さＬ１、Ｌ１を大きく構成することはいうまでもない。把手部２０、２０の重ね合わせができず持ち運びができないからである。被包装商品Ｍの大きさによって必要なサイズを選択することは、この種包装用袋にとって当然のことである。
【００１６】
また、このプラスチックフィルム１１にあっては、請求項２の考案として規定したように、筒状のインフレーションフィルムであることが好ましい。これにより、筒状のプラスチックフィルムをより簡易に製造することが可能となる。
【００１７】
把手部２０は、プラスチックフィルム１１の両端部１３，１４の対称位置にそれぞれ形成される。また、把手部２０は、持ち運びの際に該手提げ袋１０を水平に保持するものであるから、プラスチックフィルム１１の幅方向に対して略中央に形成することはいうまでもない。なお、この把手部２０は、例えば、紐状あるいは帯状等の部材を別途取付けて形成してもよいが、特に、請求項３の考案として規定したように、プラスチックフィルム１１の各端部１３，１４の穴部とすれば、極めて容易に形成することができる。
【００１８】
このように、本考案の手提げ袋１０は、上記の如く極めて簡易な構成によってなされるものであるため、容易に製造することができ、極めて経済的である。また、該手提げ袋１０では、平らな商品Ｍをプラスチックフィルム１１の筒部内（商品収納部１５）に収容し両端１３，１４の把手部２０を持ち上げるだけで、商品Ｍを簡単に水平な状態で保持することができる。
【００１９】
なお、この手提げ袋１０にあっては、上記実施例に限定されるものではなく、本考案の趣旨を逸脱しない範囲内において種々の変更を付加して実施することができる。例えば、図４及び図５に図示しかつ請求項４の考案として規定したように、手提げ袋１０Ａのプラスチックフィルム１１の長手方向の中間部にシール部３０を有し、前記シール部３０が商品収納部１５の一端側（実施例では他側フィルム端部１４の折り返し位置１７）を規定するようにしてもよい。商品の大きさがある程度決まっているものにあっては、あらかじめこのようなシール部３０を形成しておけば、商品の包装が簡単かつ容易にでき、包装の手間を省きスピードアップする。
【００２０】
また、図６ないし図８に示すように、プラスチックフィルム１１の両端部１３，１４を種々の形状に加工して意匠性をもたせるようにしてもよい。図において、符号１３Ａ及び１４Ａは角部を切り落として略台形状に形成したフィルム端部、１３Ｂ及び１４Ｂは略三角形状に形成したフィルム端部、１３Ｃ及び１４Ｃは把手部２０を外方に突出させた形状のフィルム端部である。
【図面の簡単な説明】
【００２１】
【図１】この考案の一実施例に係る手提げ袋の使用状態を示す斜視図である。
【図２】同手提げ袋の商品収納前の状態を示す斜視図である。
【図３】同手提げ袋の商品収納後の状態を示す上面図である。
【図４】シール部を有する手提げ袋の商品収納前の状態を示す斜視図である。
【図５】図４の手提げ袋の商品収納後の状態を示す上面図である。
【図６】把手部の他の形状を示す上面である。
【図７】把手部の他の形状を示す上面である。
【図８】把手部の他の形状を示す上面である。
【符号の説明】
【００２２】
１０  手提げ袋
１０Ａ  シール部を有する手提げ袋
１１  筒状のプラスチックフィルム
１２  開口部
１３  一側フィルム端部
１４  他側フィルム端部
１５  商品収納部
２０  把手部
３０  シール部
Ｍ  商品
【図１】
0003105417.tif 000003
【図２】
0003105417.tif 000004
【図３】
0003105417.tif 000005
【図４】
0003105417.tif 000006
【図５】
0003105417.tif 000007
【図６】
0003105417.tif 000008
【図７】
0003105417.tif 000009
【図８】
0003105417.tif 000010